(57)【要約】【課題】本発明では低抵抗化および気密性に優れた蓄電装置を提供することを目的とする。【解決手段】本発明における蓄電装置は、シート状の正極２および負極３の間にセパレータを介在させて積層され、正極２と負極３のそれぞれ対向する２箇所に形成された電極を引き出すリード部２ｃ、３ｃをそれぞれ備えた素子１と、電解質と共にこの素子１を収容する外装体７とを少なくとも備え、一対のリード部２ｃに夫々接合された一対の接続部５ａを有した第１フレーム５と、一対のリード部３ｃに夫々接合された一対の接続部６ａを有した第２フレーム６とを設け、上記リード部２ｃ、３ｃは上記外装体７から表出するように第１フレーム５および第２フレーム６と接続されている。これにより、接続機能と封止機能をそれぞれ別の部材が果たすため、蓄電装置として低抵抗化および気密性を高めることができる。【選択図】図１
2012060051.tif 000002
【特許請求の範囲】
【請求項１】
シート状の一対の電極の間にセパレータを介在させて積層され、外周面の対向する２箇所に形成されて一方の電極から電極を引き出す第１の電極引出部と、この第１電極引出部を除いた外周面の対向する２箇所に形成されて他方の電極から電極を引き出す第２電極引出部を備えた素子と、
この素子の内部に含まれた電解質と、
前記電解質と共に前記素子を覆う外装体を少なくとも備え、
前記外装体から、前記一対の第１電極引出部および第２電極引出部の少なくとも一部が表出すると共に、表出した前記一対の第１電極引出部に夫々接合された一対の接続部を有した第１のフレームと、表出した前記一対の第２電極引出部に夫々接合された一対の接続部を有した第２のフレームとが設けられた蓄電装置。
【請求項２】
シート状の一対の電極の間にセパレータを介在させて積層され、外周面の対向する２箇所に形成されて一方の電極から電極を引き出す第１電極引出部と、この第１電極引出部を除いた外周面の対向する２箇所に形成されて他方の電極から電極を引き出す第２電極引出部を備えた素子と、
この素子の内部に含まれた電解質と、
表出した前記一対の第１電極引出部に夫々接合された一対の接続部を有した第１のフレームと、表出した前記一対の第２電極引出部に夫々接合された一対の接続部を有した第２のフレームとが設けられると共に、前記第１、２のフレームと共に前記素子を覆うと共に、前記第１、２のフレームの少なくとも一部を表出させた外装体が設けられた蓄電装置。
【請求項３】
前記外装体はラミネートまたは樹脂により構成されている請求項１に記載の蓄電装置。
【請求項４】
前記外装体は樹脂または金属により構成されている請求項２に記載の蓄電装置。
【請求項５】
前記第１のフレームと前記第２のフレームがそれぞれ、平面部の両端をそれぞれ折り曲げて対向した一対の接続部が形成されたコの字型の金属材料から成り、これら第１のフレームおよび第２のフレームが有する夫々の接続部の位置が略９０度転回した状態で、かつ、互いの平面部内面が対向するように配設され、前記第１のフレームの一対の接続部が前記素子の第１電極引出部に夫々接合されると共に、前記第２のフレームの一対の接続部が前記素子の第２電極引出部に夫々接合された請求項１または２に記載の蓄電装置。
【請求項６】
前記素子と接合された第１のフレームならびに第２のフレームの端部が互いに当接して前記素子を収容する収容室が形成され、これら第１のフレームおよび第２のフレームの当接する箇所へ絶縁部が形成され、この絶縁部を介して第１のフレームならびに第２のフレームが互いに当接した請求項５に記載の蓄電装置。
【請求項７】
前記外装体は筒状であり、この外装体の開口部両端に、蓋体が設けられた請求項２に記載の蓄電装置。
【請求項８】
前記外装体が設けられた素子が複数個設けられ、それぞれ前記第１、２のフレームと接続された請求項１に記載の蓄電装置。
【請求項９】
前記外装体において、収容された前記素子と対向しない箇所に貫通孔を形成し、この貫通孔を塞ぐように調圧弁が形成された請求項１または２に記載の蓄電装置。
【請求項１０】
前記一対の電極が夫々、シート状の金属から成る集電体と、この集電体の表面に形成された電極部から成り、前記一対の電極が夫々に備えられた集電体の対向する端辺に前記電極部が形成されない一対の集電体表出部が形成され、これら一対の集電体表出部がそれぞれ、前記第１電極引出部または前記第２電極引出部である請求項１または２に記載の蓄電装置。
【請求項１１】
前記一対の電極の集電体の電極引き出し方向両端の距離が、前記第１フレームおよび第２フレームが有する一対の接続部の対向距離より大きい請求項１０に記載の蓄電装置。
【発明の詳細な説明】
【技術分野】
【０００１】
本発明は各種電子機器、ハイブリッド自動車や燃料電池車のバックアップ電源用や回生用、あるいは電力貯蔵用等に使用される蓄電装置に関するものである。
【背景技術】
【０００２】
従来から、機器の動作時には、使用されるエネルギーの一部が熱エネルギー等としてその機器から不必要に消費されるエネルギーとなっている。この消費されるエネルギーを、電気エネルギーとして一旦、蓄電素子に貯蔵して必要な際に再利用することにより、消費されるエネルギーを低減し、効率化することが考えられている。
【０００３】
この際に、機器の動作に必要なエネルギーを必要な出力で取り出すことが出来る蓄電素子が必須となる。その蓄電素子の候補には、大別してキャパシタと二次電池の２種類がある。
【０００４】
図９は従来のキャパシタの一例として示した電気二重層キャパシタの各電極の取出し方法を示した正面断面図である。
【０００５】
図９のように、素子２００は対向した帯状の正極および負極と、正極と負極との間に介在するセパレータからなる。
【０００６】
この正極と負極は夫々、一端辺に電極部が形成されていない引き出し電極部２０１、２０２が形成されており、この引き出し電極部２０１、２０２が互いに突出するようにずれて対向している。そして、この引き出し電極部２０１、２０２が夫々、巻回軸方向両端部を形成するように前記正極、負極、ならびにセパレータを巻回して形成されている。
【０００７】
この正極の引き出し電極部２０１は、金属製の端子板２０３と溶接などにより接合され、この端子板２０３から外部回路へと正極が引き出されていく。
【０００８】
また、負極の引き出し電極部２０２は、有底筒状の金属ケース２０４の内底面と外底面などからの溶接により接合され、金属ケース２０４の外表面から負極が外部回路へと引き出されていく。
【０００９】
そして、この端子板２０３の表面と金属ケース２０４の内面とが接触しないように、この間に絶縁テープ（図示なし）などを介在させている。
【００１０】
このように夫々の電極を取り出すことによって、端子板２０３や金属ケース２０４のような引き出し端子の役割をする部材と素子２００との接触面積を増やすことができるため、キャパシタ内部における低抵抗化を図ることができる。
【００１１】
なお、この出願に関する先行技術文献情報として、例えば特許文献１が知られている。
【先行技術文献】
【特許文献】
【００１２】
【特許文献１】特開２００７−２５８４１４号公報
【発明の概要】
【発明が解決しようとする課題】
【００１３】
上記電気二重層キャパシタのように従来の蓄電装置は各電極の集電体の一端辺に形成された引き出し電極部２０１、２０２からそれぞれの電極を引き出すとともに、この引き出し電極部２０１、２０２を端子板の底面または外装ケースの内底面へ直接接合させることにより、素子と端子板および外装ケースとの接触面積を増やし低抵抗化を図ってきた。
【００１４】
しかしながら、瞬時により多くのエネルギーを要する電子機器に搭載される蓄電装置については、上記電気二重層キャパシタの構成による低抵抗化に留まらず、更なる低抵抗化による出力密度の向上が求められている。
【００１５】
また、接触面積増大による低抵抗化を図る際、様々な方向の面から電極を、可能な限り短い距離で引き出す必要が出てくるため、素子と接続部材との接続が複雑となるとともに、蓄電装置として複雑な接続を維持した上で、封止によって素子近傍の気密性を確保することは、難しい。
【００１６】
そこで、本発明は低抵抗化による出力特性および素子近傍の気密性に優れた蓄電装置を提供することを目的とする。
【課題を解決するための手段】
【００１７】
上記課題に対して本発明における蓄電装置は、シート状の一対の電極の間にセパレータを介在させて積層され、外周面の対向する２箇所に形成されて一方の電極から電極を引き出す第１電極引出部と、この第１電極引出部を除いた外周面の対向する２箇所に形成されて他方の電極から電極を引き出す第２電極引出部を備えた素子と、この素子の内部に含まれた電解質と、前記電解質と共に前記素子を覆う外装体を少なくとも備え、前記外装体から、前記一対の第１、２電極引出部の少なくとも一部が表出すると共に、表出した前記一対の第１電極引出部に夫々接合された一対の接続部を有した第１のフレームと、表出した前記一対の第２電極引出部に夫々接合された一対の接続部を有した第２のフレームとが設けられたことを特徴としている。
【発明の効果】
【００１８】
この構成により本発明の蓄電装置は、帯状である電極体の一端辺から電流を取り出す従来の方法と比べて、電極の集電抵抗を半減させることができる。
【００１９】
さらに、立方体である同じ空間に素子を可能な限り納める場合では、約２．５５倍の接続面積を設けることができる。従って、各フレームと素子との間の接続抵抗を大幅に低減させることができ、より低抵抗な製品特性の発現が可能となり蓄電装置として出力特性を高めることができるものである。
【００２０】
さらに、第１、２のフレームとは別に、外装体を用いて素子を覆い、素子近傍における気密性を確保しているため、気密性と低抵抗化を両立させた蓄電装置を実現することができる。
【図面の簡単な説明】
【００２１】
【図１】本発明の実施例１における電気二重層キャパシタを示した分解斜視図
【図２】（ａ）本発明の実施例１における電気二重層キャパシタに用いられる素子を示した分解斜視図、（ｂ）同素子の上面図
【図３】（ａ）本発明の実施例１における電気二重層キャパシタを示した斜視図、（ｂ）同電気二重層キャパシタにおいて、第１フレームに引出端子部が設けられた構成を示した斜視図
【図４】本発明の実施例１における電気二重層キャパシタに用いられる一方の電極の集電の様子を示した分解図
【図５】本発明の実施例２における電気二重層キャパシタを示した分解斜視図
【図６】（ａ）本発明の実施例２における電気二重層キャパシタを示した斜視図、（ｂ）同電気二重層キャパシタにおいて、第１フレームに引出端子部が設けられた構成を示した斜視図
【図７】本発明の実施例２における電気二重層キャパシタに用いられる絶縁フレームを示した分解斜視図
【図８】本発明の実施例３における電気二重層キャパシタに用いられる負極と上フレームの接続部との接合された状態を抜粋して示した部分断面概略図
【図９】従来の蓄電装置の一例である電気二重層キャパシタを示した正面断面図
【図１０】（ａ）従来の蓄電装置に用いられる素子を示した斜視図、（ｂ）同素子を分解して一方の電極箔の一部を抜粋して示した分解図
【発明を実施するための形態】
【００２２】
以下に図面を用いて本発明の実施例１および請求項１、３、５、６、８〜１０に記載の発明について説明を行うが、下記の内容に限定されない。
【００２３】
また、以下の本発明における蓄電装置の説明において、蓄電装置の一例として電気二重層キャパシタを用いて説明を行うが、本発明における蓄電装置は上記電気二重層キャパシタに限定されない。
【実施例１】
【００２４】
図１は本発明の実施例１における電気二重層キャパシタの分解斜視図である。
【００２５】
図１において、本実施例の電気二重層キャパシタは矩形箔状である正極２および負極３を一対の電極として対向させ、この一対の電極の間にセパレータ４（図示なし）を介在させて積層した複数個の素子１と、これら素子１にそれぞれ含浸される電解液（図示なし）と、これら素子１をそれぞれ覆うと共に封止した外装体７と、正極２および負極３の一方ずつと接続する略コの字状の第２フレーム６および第１フレーム５、そして第１フレーム５と第２フレーム６の間に介在すると共に互いに絶縁する絶縁フレーム８とから構成されている。
【００２６】
図２（ａ）は本実施例の電気二重層キャパシタに用いられる素子１を示した分解斜視図であり、図２（ｂ）は同素子１を外装体７に収容した構成を示した上面図である。
【００２７】
図２（ａ）において、正極２および負極３は、例えばアルミニウム箔から成る矩形状の集電体２ａ、３ａの表裏面上に活性炭を主成分とする電極層２ｂ、３ｂを形成したものである。この電極層２ｂ、３ｂを集電体２ａ、３ａへ夫々形成する際、矩形状である集電体２ａ、３ａの長手方向の両端辺上には、上記電極層２ｂ、３ｂを形成しない集電体表出部であるリード部２ｃ、３ｃを設けるように形成する。このリード部２ｃ、３ｃが第１フレーム５、第２フレーム６と接続する正極引出部および負極引出部の機能を果たす。
【００２８】
なお、集電体２ａ、３ａは上記のアルミニウム箔の他に、タンタル、チタンなどの金属、あるいはアルミニウム、タンタル、チタンなどの元素を含んだ合金であってもよい。
【００２９】
また、電極層２ｂ、３ｂは主成分とする活性炭の他にカーボンブラックなどから成る導電性付与剤やＣＭＣのアンモニウム塩およびポリテトラフルオロエチレン（ＰＴＦＥ）などのバインダーが含まれている。しかし、本発明の電気二重層キャパシタに用いられる電極層は上記構成に限定されない。
【００３０】
これら正極２および負極３を、矩形状である正極２および負極３それぞれの長手方向が直交するように対向させ、その間にセパレータ４を介在させて複数の正極２および負極３、セパレータ４を積層し、素子１を構成する。その際、正極２および負極３はそれぞれの長手方向が直交関係となるように配置されているため、リード部２ｃ、３ｃは互いに直交関係となるように表出している。
【００３１】
つまり、積層された素子１の積層距離を素子１の高さとすると、本実施例の電気二重層キャパシタに用いられる素子１は略十字状の積層体を形成し、四方の突出した端部はそれぞれリード部２ｃ、３ｃの集合体により構成される。
【００３２】
この素子１を構成するために、上記矩形状などの集電体２ａ、３ａが方形状のものを用いた正極２および負極３を用いる場合、それぞれの電極に形成される電極層２ｂ、３ｂの形状は互いに合同な正方形状とすることが好ましく、かつ、正極２の電極層２ｂが負極３の電極層３ｂとズレが少なく対向していることが望ましい。さらには、本実施例において、各電極を積層する際のズレを考慮すると、電極層３ｂが電極層２ｂの面積より大となる構成が好ましい。これは、充電において電極層２ｂの近傍に電解質アニオンが寄るが電極層３ｂが対向していない場合は特に、電極層２ｂの近傍が酸性となり、これにより電極層２ｂのバインダ材料や、セパレータ４の電極層２ｂと対向した箇所が劣化してしまう可能性があるためである。
【００３３】
なお、素子１を構成するセパレータ４は、例えばセルロースなどの紙製のものなど正極２および負極３を絶縁するものであれば特に限定されない。
【００３４】
そして、図２（ｂ）のように、積層された上記素子１は外装体７に収容される。なお、本実施例における電気二重層キャパシタは、これら外装体７に収容された素子１を複数個積層させて構成されている。
【００３５】
図１において、第１フレーム５は例えば略コの字状のアルミニウム板から構成され、対向する一対の接続部５ａとこの一対の接続部５ａを中継する底面部５ｂから構成されている。この第１フレーム５に対して上記十字状の素子１は底面部５ｂの内面上に配設され、第１フレーム５の一対の接続部５ａの内面が、素子１が有する一対の負極のリード部３ｃの集合体と当接すると共に、接続部５ａおよびリード部３ｃの集合体が接合されている。つまり、リード部３ｃが上記第１電極引出部に該当する。
【００３６】
第２フレーム６は第１フレーム５と同様に例えばコの字状のアルミニウム板から構成され、対向する平板状の一対の接続部６ａとこの一対の接続部６ａを中継する上面部６ｂから構成されている。上記素子１に対してこの第２フレーム６は素子１の上に上面部６ｂが位置するように設けられ、第２フレーム６の一対の接続部６ａの内面が、素子１が有する正極のリード部２ｃの集合体と当接すると共に、接続部６ａおよびリード部２ｃが接合される。つまり、リード部２ｃが上記第２電極引出部に該当する。
【００３７】
本実施例において、この第１フレーム５および第２フレーム６は素子１と接続され、それぞれ底面部５ｂ、上面部６ｂの外側表面にそれぞれ形成された突起状の端子部５ｃ、６ｃから外部へ電極を引き出している。
【００３８】
なお、第１フレーム５および第２フレーム６は他にニッケルや鉄、銅などによって構成されていても良い。
【００３９】
そして、第１フレーム５および第２フレーム６の接合および絶縁については、絶縁フレーム８が介在する。この絶縁フレーム８を構成する材料として、変性ポリプロピレンなどが挙げられる。この絶縁フレーム８へ熱を加えて融着させるなどが考えられるが、当接する第１フレーム５および第２フレーム６間の絶縁、封止および固定を行える手段であれば特に限定されない。具体的な材料として、例えば、レーザー光の透過性に優れたポリプロピレン、ポリスチレン、ポリエーテルイミド、ポリブチレンテレフタレート、ポリフェニレンスルフィド、ポリエチレン、シクロオレフィンポリマ、フッ化エチレンポリピレン、アクリノニトリルブタジエンスチレン樹脂、アクリル樹脂、ポリカーボネート、ナイロン、ポリアセタール、ポリエチレンテレフタレートなどで絶縁フレーム８を構成することが考えられる。
【００４０】
この絶縁フレーム８と第１フレーム５または第２フレーム６とが当接する箇所に絶縁フレーム側からレーザー光を照射し、第１フレーム５または第２フレーム６表面での発熱を利用し、絶縁フレーム８を部分的に溶融および再凝固させて、絶縁フレーム８を第１フレーム５または第２フレーム６に固定することができる。
【００４１】
なお、この絶縁フレーム８には上記接続部５ａ、６ａと当接する箇所の少なくとも一部にスライド溝（図示なし）を設けることにより、蓄電装置として収容効率が向上すると共に、組立て時に、第１フレーム５、絶縁フレーム８、第２フレーム６の固定が容易になり、生産性向上を図ることができる。
【００４２】
図３（ａ）は、本発明の実施例１における電気二重層キャパシタを示した斜視図であり、図３（ｂ）は、同電気二重層キャパシタにおいて、第１フレーム５に引出端子部５ｅを設けた構成を示した斜視図である。
【００４３】
図３（ａ）のように、複数の素子１は第１フレーム５、絶縁フレーム８、第２フレーム６により電気的に接続されながら収容され、接続部５ａ、６ａの外側表面から溶接痕５ｄ、６ｄが形成されるように溶接接合されている。この溶接痕５ｄ、６ｄは、素子１の積層方向に伸びるように形成することが好ましい。これは、少ない溶接回数で、外装体７から表出している素子１のリード部２ｃ、３ｃとの接合箇所をより多く設けることができるためである。これにより、蓄電装置として、生産性向上、信頼性向上、内部抵抗抑制の効果を図ることができる。
【００４４】
図３（ａ）では、第１フレーム５および第２フレーム６を用いて本実施例における電気二重層キャパシタの両端からそれぞれ電極を引き出す構成を示した。これに対し図３（ｂ）では、第１フレーム５の接続部５ａの上方端部に引出端子部５ｅを設けることにより、蓄電装置として一方で両極の接続が可能となり、蓄電ユニットを形成する際に、小型化を図ることができる。そして、本実施例では素子１内部で電解液が分解されるなどによって生じるガスを抜くために、第２フレーム６の外側面上に貫通孔を形成し、この貫通孔に自己復帰型の調圧弁（図示なし）を設けた構成であってもよい。あるいは、本実施例においては、複数の素子１に設けられた外装体７にそれぞれ上記調圧弁を設けた構成であってもよい。そして、この調圧弁を設ける際、外装体７の内面において、素子１と非対向である箇所に設ける構成が好ましい。これは、上記収容室において上記注入孔の近傍の空間を意図的に空けることにより、電解液の注入をよりスムーズに行うことができるためである。この構成により、より早く素子１内部の奥深くまで電解液を含浸させることができ生産性向上させることができる。
【００４５】
また、セパレータ４の電解液の含浸性が高まることにより、蓄電装置として電導度向上などの効果も得ることができる。
【００４６】
このように、正極２および負極３から引き出される電極を夫々の集電体２ａ、３ａにおいて対向する端辺部分にあたるリード部２ｃ、３ｃから引き出すとともに、短絡しないようにリード部２ｃ、３ｃの表出方向を直交させて素子１を形成し、それぞれのリード部２ｃ、３ｃと接続する接続部５ａ、６ａを備えた第１フレーム５および第２フレーム６によって、各電極を引き出すことによって、限られた容積の中で素子１と外部端子の役割を担う第１フレーム５および第２フレーム６の接触面積を増加させることができ、蓄電装置として素子１と第１フレーム５および第２フレーム６との間における低抵抗化を図ることができる。これは、仮に、一辺の長さをｒとした立方体形状を有した同じ容積の空間に内接するように素子を収容した場合、上記一端辺から電流を取り出す従来の巻回状の素子（概算接続面積：π×ｒ2／４）と比べて、本発明の素子１（概算接続面積：ｒ2×２）は、一方の電極において約２．５５倍の接続面積を得ることができるためである。
【００４７】
さらに、上記従来の素子と比べて、本発明の素子１は各電極の集電抵抗を半減させることができる。その理由を以下に詳しく述べる。
【００４８】
図４は本発明の蓄電装置に用いられる素子１を分解して一方の電極における接合箇所および電極内の集電方向を示した分解図である。
【００４９】
図１０（ａ）は従来の蓄電装置に用いられる素子２００を表した斜視図であり、（ｂ）は同素子を分解して一方の電極における接合箇所および電極内の集電方向を示した分解図である。
【００５０】
図１０（ａ）において、従来の素子２００は、巻回軸方向両端から電流を取り出していくため、この両端部に位置する上記引き出し電極部２０１、２０２において、上記電極引き出し部材（図示なし）と接合される。その際、図１０（ａ）に示される矢印方向へ伸びるようにレーザー溶接などによって接合される。そして、図１０（ｂ）のように、溶接により形成された接合箇所２１０が形成される。この接合箇所２１０は、素子２００が巻回状であるため、巻回軸（図示なし）により近い部分は各接合箇所２１０の間隔が小さい。しかし、巻回軸から遠い部分は、同時に、集電体端部により構成される略円環の径が大きくなるため、接合箇所２１０の間隔が広くなってしまう。この際、図１０（ｂ）に示される矢印のように、電極内を流れる電流は、接合箇所２１０へ到達するために移動する経路が、少なくとも集電体箔の幅の距離Ｗの分だけ要し、加えて、接合箇所２１０の間隔が広い部分はその間隔の距離Ｄだけ移動することを要する。また、特に巻回状の素子２００の最外周近傍に該当する部分は、いくら巻回軸を中心にして放射線状に接合箇所を増やしても、素子２００最外周近傍に位置する接合箇所２１０の間隔を狭めることは難しい。
【００５１】
上記構成に比べ、図４のように、本発明に用いられる正極２あるいは負極３は、リード部２ｃ、３ｃの一対の端部に接合箇所１３を有する構成となる。これにより、例えば、図１０（ｂ）の電極の集電体箔の幅と同じ大きさに形成したとしても、本実施例において、各電極の両端に形成された接合箇所１３へ移動しようと電極内部を流れる電流の集電経路は、矢印のように約半分になる。また、上記巻回状の素子２００と異なり、本実施例における素子１は積層される各電極において、接合箇所どうしの間隔が広がることは少ないため、間隔方向に集電経路が増加することを抑えることができると共に、接合箇所１３増加によって各接合箇所の間隔を狭めることが容易である。このように本発明の蓄電装置は、素子１内部における集電抵抗を大幅に低減させることができる。
【００５２】
上記のことから、蓄電装置として、出力特性を高めることができる。
【００５３】
加えて、低抵抗化が図れることにより、素子１と第１フレーム５および第２フレーム６との接合箇所における発熱が抑制され、セパレータの炭化や電解液の分解などの性能劣化を抑制させることができる。
【００５４】
そして、さらに、外装体７を用いて素子１を封止することにより、蓄電装置として、素子１の電解液などの電解質の漏出あるいは外部からの水分の浸入を抑制する効果が得られる。
【００５５】
これは、本実施例のように、一つの電極に対し、２箇所から電極を取り出す構成をとることにより、素子１として外部へ表出させなければならない面積が増えると共に、表出する位置も複雑になる。そして、素子１に接続させるフレームも複雑な形状となり、両フレームを使って短絡防止を意識しながら素子１を封止させることは、困難であった。
【００５６】
そこで、本実施例では第１フレーム５および第２フレーム６と異なる部材である上記外装体７に素子１を封止する役割を担わせることにより、フレームによって封止する際の素子１の短絡などを考慮せずに封止を行えるため、生産性および信頼性を高めることができる。
【００５７】
また、本実施例における第１フレーム５と第２フレーム６は少なくとも接続機能だけ果たせばよいため、構成を簡素化させることができる。例えば、図示されていないが、第１フレーム５と第２フレーム６の間に一定の隙間を設けるだけで、両部材の絶縁を行っても、一定の気密性を維持できることとなる。
【００５８】
このように、封止機能をもった部材と接続機能をもった部材を個別に用いることにより、蓄電装置として生産性および信頼性向上、そして低抵抗化を図っている。
【００５９】
なお、この外装体７として用いられるラミネートの材料は、例えば、アルミニウムなどの金属箔の表面をアセトンなどの有機溶剤から成る脱脂剤が覆い、さらにその上を、ポリプロピレンなどの樹脂フィルムで覆ったシート材を袋状に形成したものなどが挙げられる。また、本実施例の外装体７は上記に限定されず、樹脂によって形成された筐体であってもよい。この樹脂の材料には、ポリエチレンテレフタレートや、ポリプロピレン、ポリオレフィンなどに加え、これら材料から成る熱収縮シートなどが挙げられる。
【００６０】
なお、本実施例に用いる電解質として、電解質および溶媒から成る電解液を用いている。この電解液には、溶媒として、プロピレンカーボネート（ＰＣ）やエチレンカーボネート（ＥＣ）、ジメチルカーボネート（ＤＭＣ）などのうち少なくとも一つを用いた溶媒に、電解質として例えばテトラエチルアンモニウムテトラフルオロボレート（ＴＥＡＢＦ4）や、トリエチルメチルアンモニウムテトラフルオロボレート（ＴＥＭＡＢＦ4）、１−エチル−３−メチルイミダゾリウムテトラフルオロボレート（ＥＭＩＢＦ4）、１−エチル−２、３−ジメチルイミダゾリウムテトラフルオロボレート（ＥＤＭＩＢＦ4）、１、２、３−トリメチルイミダゾリウムテトラフルオロボレート（ＴＭＩＢＦ4）及び１、３−ジメチルイミダゾリウムテトラフルオロボレート（ＤＭＩＢＦ4）などのうち少なくとも一つを用いることができるが、特に溶媒、電解質を限定するものではない。
【００６１】
上記のように電解液として用いることに限らず、溶媒中にバインダを含ませ、ゲル状のものを用いた構成や、固体状の電解質を用いた構成であってもよい。
【００６２】
また、集電体２ａ、３ａに用いられる材料は、上記のようにアルミニウムに限定されず、チタン、ジルコニウム、ハフニウム、ニオブ、タンタル、クロム、モリブデン、タングステン、マンガン、珪素、鉄、銀、鉛、ニッケル、銅、白金、金や、これらの合金を用いてもよい。また、この集電体２ａ、３ａは無処理のプレーン箔でもよいし、電極層２ｂ、３ｂとの接着強度を高めるためにエッチング処理を施したエッチング箔であってもよい。
【００６３】
また、電極層２ｂ、３ｂには上記のように活性炭の他に、カルボキシメチルセルロースのアンモニウム塩やポリテトラフルオロエチレンなどのバインダやアセチレンブラックなどの導電剤が含まれた方が活性炭どうしの距離の短縮や導電性を向上させることができるため、素子１としてより低抵抗化を図ることができる。
【実施例２】
【００６４】
以下に、図面を用いながら本発明の実施例２および請求項２、４、７に記載の発明の説明を行うが、本発明は下記の内容に限定されない。また、上記実施例１と同じ構成要素については実施例１と同じ符号を付与して説明を行う。
【００６５】
図５は、本実施例における電気二重層キャパシタの構成を示した分解斜視図である。
【００６６】
図６（ａ）は、本実施例における電気二重層キャパシタの構成を示した斜視図であり、図６（ｂ）は、本実施例における電気二重層キャパシタにおいて、第１フレームに引出端子部を設けた構成を示した斜視図である。
【００６７】
図５において、本実施例における電気二重層キャパシタは、複数枚の上記正極２および負極３がそれぞれ対向するように交互に積層され、対向する正極２と負極３のそれぞれの間にセパレータ４を介在させて共に積層することによって形成された素子１と、この素子１に形成されている上記リード部２ｃ、３ｃと電気的にそれぞれ接続される上記第１フレーム５および第２フレーム６に加えて、第１フレーム５および第２フレーム６の外側表面を覆う略筒状である樹脂により構成された外装体１０を備えている。なお、素子１と第１フレーム５および第２フレーム６とを接合する時、実施例１のように素子１の積層方向に溶接痕（図示なし）が伸びるようにレーザー溶接を行うことが好ましい。
【００６８】
図６（ａ）において、本実施例の電気二重層キャパシタは、筒状である上記外装体１０が、第１フレーム５および第２フレーム６を備えた素子１の側周面、言い換えれば、主に四方に配置されている接続部５ａ、６ａの外側表面、これらを覆う様に配置されている。そして、外装体１０と第１フレーム５および第２フレーム６の界面において、例えば外装体１０の上端および下端を構成する樹脂を溶着させて溶着部１０ａを形成し、素子１を封止している。
【００６９】
上記構成により、本実施例における電気二重層キャパシタは、素子１から複雑な構成により各電極を引き出している第１、第２フレーム５、６とは別に、素子１および第１、第２フレーム５、６を収容する外装体１０を用いているため、封止の役割を外装体１０に担わせることができ、蓄電装置として気密性が向上する。
【００７０】
図６（ｂ）において、本実施例の電気二重層キャパシタは、外装体１０の溶着部１０ａを形成する際に、第１フレーム５の接続部５ａの上方端部に引出端子部５ｅを形成し、この引出端子部５ｅを、本実施例における電気二重層キャパシタの上方において溶着部１０ａから表出するように構成してもよい。そして、上記溶着部１０ａから表出した引出端子部５ｅを第２フレーム６と接触しないように折り曲げて、平面状の接続端子を形成し、蓄電装置として上方のみで接続が可能となる。
【００７１】
これにより、本実施例の電気二重層キャパシタを含んだ蓄電ユニットを構成する場合、接続に必要なスペースが省かれ、小型化を図ることができる。
【００７２】
また、筒状の外装体１０を用いて本実施例の電気二重層キャパシタを説明したが、この引出端子部５ｅを設けることにより、対向した両端から電極を引き出す必要がなくなるため、外装体１０は有底筒状の樹脂体を用いることができる。これにより外装体１０として溶着による封止箇所も減るため、蓄電装置として、気密性を高めることができる。また、この外装体１０に、アルミニウムや銅、鉄、ニッケルまたはこれらの合金から構成されたものであってもよい。その際、この外装体１０の内面を樹脂などにより絶縁コーティングされた構成が好ましい。金属などにより外装体１０が構成されることにより、樹脂に比べて蓄電装置として機械的強度が向上する。上記絶縁コーティングや外装体１０の開口端部の絶縁コーティングは、素子１および第１、第２フレーム５、６との電気的接続を抑制するために行われる。
【００７３】
図７は本実施例における電気二重層キャパシタに用いられる外装体１０および蓋体１０ｂを示した分解斜視図である。
【００７４】
図７のように、本実施例の電気二重層キャパシタは、筒状である外装体１０の両端開口部と接合されるように、貫通孔１０ｃが設けられた蓋体１０ｂがそれぞれ配設されている構成でもよい。
【００７５】
この構成により、外装体１０単独で素子１を収容する構成に比べて、気密性を高めながら、貫通孔１０ｃから第１、第２フレーム５、６を表出させることができるため、気密性に優れた蓄電装置を得ることができる。
【００７６】
さらに、例えば、素子１の高さに比べて、外装体１０の高さを小さくする、あるいは、蓋体１０ｂの内面に、外装体１０の内部に挿入されて素子１と優先的に当接する突起部（図示なし）を設けることにより、外装体１０に収容される素子１を蓋体１０ｂが押圧し、素子１をより強固に固定することができる。これにより、蓄電装置として機械的強度が向上する。その素子１と優先的に当接する箇所を設けるために、蓋体１０ｂに形成される貫通孔１０ｃは、外装体１０の開口端より小さいことが好ましい。
【００７７】
また、この蓋体１０ｂを設けることにより、外装体１０の上下両端を強固に固定することができる。これにより、素子１内部においてガス発生により外装体１０内の圧力が上昇した際に、外装体１０に生じる膨れに伴う外装体１０の形状変化を抑制し、蓄電装置として、気密性をより高めることができる。
【００７８】
なお、この蓋体１０ｂに用いることができる材料は樹脂やアルミニウムや銅、鉄、ニッケルなどの金属が好ましい。ただし、金属材料を蓋体１０ｂに用いる場合は、この蓋体１０ｂと素子１および第１、２フレーム５、６との絶縁を行うことが好ましい。
【実施例３】
【００７９】
以下に、図面を用いながら本発明の実施例３および請求項１１に記載の発明の説明を行うが、本発明は下記の内容に限定されない。また、上記実施例２と同じ構成要素については実施例２と同じ符号を付与して説明を行う。
【００８０】
図８は本実施例における電気二重層キャパシタの素子１１に用いられる第２フレーム６と正極１２が当接する前の様子を示した部分断面概略図である。
【００８１】
本実施例における電気二重層キャパシタでは、図８のように正極１２の集電体１２ａの両端にリード部１２ｃの距離が、第２フレーム６の一対の接続部６ａどうしの対向距離より長い構成である。
【００８２】
これにより、接続部６ａの内面とリード部１２ｃを当接させる際、本実施例における集電体１２ａは、リード部１２ｃが収まらないため、接続部６ａの内面に圧接されたリード部１２ｃどうしが折曲がって重なり合った状態（スウェージ部１２ｄ）で接続部６ａの内面と当接する構成となる。
【００８３】
この構成により本実施例における電気二重層キャパシタは、リード部２ｃの端部のみが当接し接合される実施例１と比べ、リード部１２ｃの端部を押圧しながら当接するようにスウェージ部１２ｄを形成することにより、リード部１２ｃの端部付近の集電体１２ａは重なるように押し倒され、この結果第２フレーム６の接続部６ａとリード部１２ｃとの接触面積が大きくなり、前記スウェージ部１２ｄにおいては集電体１２ａが密集した（集電体１２ａどうしの隙間が狭まり密度が大きい）状態となるため、レーザー溶接による集電体１２ａの溶断の防止や、第２フレーム６の接続部６ａに孔が開くことを防止することができ、ものつくりの信頼性を向上させることができるものである。
【００８４】
また、リード部１２ｃにおいてより容易にスウェージ部１２ｄを形成するために、予めリード部１２ｃ上に屈曲部分（図示なし）、もしくは切り込み（図示なし）などを入れ、第２フレーム６、もしくは第１フレーム５にスライド挿入することにより得てもよいし、もしくは、上記屈曲部分、切り込みからリード部１２ｃの端までを優先的に折り曲げるなど行ってもよい。
【００８５】
なお、リード部１２ｃに上記屈曲部分を形成する方法として、例えば、リード部１２ｃの所望の位置にローラー（図示なし）などを押し当てることにより、リード部１２ｃ側の電極層１２ｂの端辺と平行方向に形成する方法などがある。
【００８６】
また、リード部１２ｃに上記切り込みを形成する方法として、例えば、リード部１２ｃの端辺を形成するスリット加工と同時にカットローラー（図示なし）などを押し当てることでリード部１２ｃ側の電極層１２ｂの端辺に対して平行方向にリード部１２ｃ上に形成する方法などがある。
【００８７】
なお、本実施例では正極１２および接続部６ａを用いて説明を行ったが、実施例１、２の負極３と接続部５ａとの間においても同様の構成を用いて、同様に接続抵抗低減の効果を得ることができる。また、本実施例では実施例２の構成を基に説明を行ったが、これに限定されず、各素子１をラミネート封止した実施例１の構成に用いることができる。
【００８８】
なお、本発明における蓄電装置は、実施例１および２を同時に満たすように、外装体７、１０を両方用いて構成されていてもよい。
【００８９】
これにより、さらに蓄電素子として気密性の向上を図ることができる。
【００９０】
また、上記実施例１〜３において構成要素として説明された第１フレーム５および第２フレーム６は一対の接続部５ａ、６ａを備えた略コの字状の金属部材であったが、この構成に限定されず、素子１の２方向の両端から各電極がそれぞれ引き出される構成に対して少なくとも一対の接続部を備え、２箇所から引き出される電極を一括して外部回路へ引き出す構成を有していれば、蓄電装置の低抵抗化、気密性向上という本発明の格別の効果を奏するものである。
【００９１】
従って、上記第１フレーム５または第２フレーム６の一方が有底状のケース状の金属部材であってもよい。
【００９２】
しかし、これらの構成をとる場合、第１フレーム５および第２フレーム６が直接当接しないように絶縁を十分に行う必要がある。
【００９３】
なお、本発明は電気二重層キャパシタに限定されることはなく、電解質のカチオンとしてリチウムイオンを用い、負極の電極層に含まれる炭素材料にリチウムを吸蔵させ、かつ、正極は電気二重層キャパシタの正極を用いて充放電を行う電気化学キャパシタや、同様に、リチウム二次電池を始めとする夫々の電極層の集電部材として金属部材を主に用いた蓄電池に応用しても上記のような蓄電装置として低抵抗化の実現という格別な効果を奏することができる。
【００９４】
以上のように、本発明における蓄電装置は、シート状の正極および負極がセパレータを介在させた状態で積層された素子であるとともに、正極および負極が対向する両端から表出された電極引出部をそれぞれ備え、それぞれの一対である一方の電極引出部から電極を引き出す一対の第１の接続部を有した第１のフレームおよび一対である他方の電極引出部から電極を引き出す一対の第２の接続部を有した第２のフレームを少なくとも備えた構成であり、この一対の接続部を備えた第１のフレームおよび第２のフレームによって、従来それぞれの電極箔において一方から引き出された電極を、２箇所から引き出すことによって、限られた空間の中で素子の各一対の電極引出部と外部端子の役割を担う第１フレームおよび第２フレームの接触面積を増やし、蓄電装置として低抵抗化を図ることができる。
【産業上の利用可能性】
【００９５】
本発明における蓄電装置は、素子から第１のフレームおよび第２のフレームを用いて電極を引き出す際の接触面積を増やし、低抵抗化が達成されたものである。そして、さらに第１、２のフレームとは別に外装体を設けることにより、蓄電装置として素子の封止強度が向上し、気密性が向上している。
【００９６】
従って、本発明における蓄電装置は、短時間でより多くの電力を取り出すことを要する電子機器や電気自動車などの移動体での利用が期待される。
【符号の説明】
【００９７】
１、１１  素子
２、１２  正極
２ａ、３ａ、１２ａ  集電体
２ｂ、３ｂ  電極層
２ｃ、３ｃ、１２ｃ  リード部
３  負極
４  セパレータ
５  第１フレーム
５ａ、６ａ  接続部
５ｂ  底面部
５ｃ、６ｃ  端子部
５ｄ、６ｄ  溶接痕
５ｅ  引出端子部
６  第２フレーム
６ｂ  上面部
７、１０  外装体
８  絶縁フレーム
１０ａ  溶着部
１０ｂ  蓋体
１０ｃ  貫通孔
１２ｄ  スウェージ部
１３  接合箇所
【図１】
2012060051.tif 000003
【図２】
2012060051.tif 000004
【図３】
2012060051.tif 000005
【図４】
2012060051.tif 000006
【図５】
2012060051.tif 000007
【図６】
2012060051.tif 000008
【図７】
2012060051.tif 000009
【図８】
2012060051.tif 000010
【図９】
2012060051.tif 000011
【図１０】
2012060051.tif 000012